(57)【要約】【課題】簡単な構成で加湿空気中のイオン濃度を高めることできる加湿装置を提供する。【解決手段】加湿装置１は、イオン発生部１３０と、加湿フィルタ１４０と、ファン１５２と、モータ１５１と、合流路１２４とを備える。イオン発生部１３０は、正イオンとしてＨ＋（Ｈ２Ｏ）ｍ（ｍは任意の整数）と負イオンとしてＯ２−（Ｈ２Ｏ）ｎ（ｎは任意の整数）とを発生させる。加湿フィルタ１４０は、水を蒸発させて水蒸気を発生させる。ファン１５２は、加湿フィルタ１４０に風を送り込む。モータ１５１は、ファン１５２を駆動する。合流路１２４は、イオン発生部１３０によって発生された正イオンと負イオンとを、加湿フィルタ１４０によって発生された水蒸気を含む空気に供給する。イオン発生部１３０は、モータ１５１において発生する熱によって加熱されるようにモータ１５１の近傍に配置されている。【選択図】図１
2010276227.tif 000002
【特許請求の範囲】
【請求項１】
正イオンとしてＨ＋（Ｈ２Ｏ）ｍ（ｍは任意の整数）と負イオンとしてＯ２−（Ｈ２Ｏ）ｎ（ｎは任意の整数）とを発生させるイオン発生部と、
水を蒸発させて水蒸気を発生させる気化部と、
前記気化部に風を送り込むための送風部と、
前記送風部を駆動するモータと、
前記イオン発生部によって発生された正イオンと負イオンとを、前記気化部によって発生された水蒸気を含む空気に供給するための合流路とを備え、
前記イオン発生部は、前記モータにおいて発生する熱によって加熱されるように前記モータの近傍に配置されている、加湿装置。
【請求項２】
前記送風部が、前記気化部と前記イオン発生部とに風を送り込む、請求項１に記載の加湿装置。
【請求項３】
前記気化部は、気流の流れる方向において前記送風部の上流側に配置され、前記イオン発生部は、気流の流れる方向において前記送風部の下流側に配置されている、請求項１に記載の加湿装置。
【請求項４】
前記イオン発生部と前記気化部と前記送風部と前記モータとが収容される筐体を備え、
前記筐体には、前記気化部によって発生された水蒸気を含む空気を前記筐体から前記筐体の外部に吹き出すための吹出口が形成され、
前記合流路は、前記吹出口の近傍に配置されている、請求項１から請求項３までのいずれか１項に記載の加湿装置。
【請求項５】
前記イオン発生部と前記気化部と前記送風部と前記モータとが収容される筐体を備え、
前記筐体には、前記筐体の外部の空気を前記筐体の内部に吸い込むための吸込口と、前記気化部によって蒸発された水を含む空気を前記筐体から前記筐体の外部に吹き出すための吹出口とが形成され、
前記吸込口と前記吹出口との間に形成される上流路と中流路と下流路とをさらに備え、
前記上流路は、前記吸込口から前記中流路に至る流路であり、
前記中流路は、前記気化部が配置される気化流路部と前記イオン発生部が配置されるイオン発生流路部とを含み、
前記下流路は、前記中流路から前記吹出口に至る流路である、請求項１から請求項４までのいずれか１項に記載の加湿装置。
【発明の詳細な説明】
【技術分野】
【０００１】
この発明は、加湿装置に関する。
【背景技術】
【０００２】
従来の加湿装置には、加湿された空気とともに、空気中にイオンを放出させる加湿装置がある。
【０００３】
例えば、特開２００７−４０５７１号公報（特許文献１）には、正イオンとしてＨ＋（Ｈ２Ｏ）ｍ（ｍは任意の自然数）と負イオンとしてＯ２−（Ｈ２Ｏ）ｎ（ｎは任意の自然数）とを発生させるイオン発生装置を備える加湿装置が記載されている。この加湿装置においては、上記のイオン発生装置が吹出口の近傍に設けられている。
【０００４】
上記の正イオンと負イオンは、プラズマ放電により空気中の酸素及び水蒸気が電離することによって発生するイオンであり、大気イオンと呼ばれる。これらの正イオンと負イオンは、水素イオン（Ｈ＋）または酸素イオン（Ｏ２−）の周囲に複数の水分子が付随した形態、いわゆる、クラスターイオンの形態をなしている。これらの正イオンと負イオンとがともに空気中に放出されると、空気中に放出されたこれらの正イオンと負イオンは、正イオンと負イオンとの間で化学反応し、活性物質としての過酸化水素（Ｈ２Ｏ２）または水酸基ラジカル（・ＯＨ）となる。過酸化水素または水酸基ラジカルは、浮遊粒子または浮遊細菌から水素を抜き取る酸化反応を行うことで、浮遊粒子を不活性化することができ、または浮遊細菌を殺菌することができることが知られている。すなわち、これらの正イオンと負イオンとを室内に拡散させることによって、室内の浮遊粒子を不活性化したり、浮遊細菌を殺菌したりして、室内の空気を清浄にすることができる。
【先行技術文献】
【特許文献】
【０００５】
【特許文献１】特開２００７−４０５７１号公報
【発明の概要】
【発明が解決しようとする課題】
【０００６】
上記の正イオンと負イオンとを発生させるときには、空気中の酸素及び水蒸気を電離させるために、イオン発生素子でプラズマ放電を起こす必要がある。しかしながら、イオン発生素子の近傍の空気が湿っていると、プラズマ放電が起こりにくい。特開２００７−４０５７１号公報（特許文献１）に記載の加湿装置のように、イオン発生装置が加湿空気の吹出口の近傍に配置されると、イオン発生素子の周囲の相対湿度が高まり、プラズマ放電が起こりにくくなる。プラズマ放電が起こらなければ、正イオンと負イオンとを発生させることができない。イオン発生素子において正イオンと負イオンとを発生させることができなければ、加湿空気中に高濃度のイオンを供給することができず、正イオンと負イオンによる、室内の浮遊粒子を不活性化したり、浮遊細菌を殺菌したりして、室内の空気を清浄にする効果が得られない。
【０００７】
そこで、この発明の目的は、加湿空気中のイオンの濃度を高めることが可能な加湿装置を提供することである。
【課題を解決するための手段】
【０００８】
この発明に従った加湿装置は、イオン発生部と、気化部と、送風部と、モータと、合流路とを備える。イオン発生部は、正イオンとしてＨ＋（Ｈ２Ｏ）ｍ（ｍは任意の整数）と負イオンとしてＯ２−（Ｈ２Ｏ）ｎ（ｎは任意の整数）とを発生させる。気化部は、水を蒸発させて水蒸気を発生させる。送風部は、気化部に風を送り込む。モータは、送風部を駆動する。合流路は、イオン発生部によって発生された正イオンと負イオンとを、気化部によって発生された水蒸気を含む空気に供給する。イオン発生部は、モータにおいて発生する熱によって加熱されるようにモータの近傍に配置されている。
【０００９】
正イオンとしてＨ＋（Ｈ２Ｏ）ｍ（ｍは任意の整数）と負イオンとしてＯ２−（Ｈ２Ｏ）ｎ（ｎは任意の整数）とを発生させるイオン発生部は、モータの近傍に配置され、モータにおいて発生する熱によって加熱される。イオン発生部がモータにおいて発生する熱によって加熱されるので、イオン発生部における相対湿度を低く保ち、正イオンと負イオンとを発生させやすくすることができる。イオン発生部において発生した正イオンと負イオンとは、合流路によって、気化部によって発生された水蒸気を含む空気、すなわち、加湿空気に供給される。正イオンと負イオンとを発生させやすくすることによって、加湿空気中に供給される正イオンと負イオンの量を増やして、加湿空気中のイオン濃度を高めることができる。
【００１０】
また、モータにおいて発生する熱によってイオン発生部を加熱するので、イオン発生部を加熱するためにヒータなど別の加熱手段を備える必要がない。
【００１１】
このようにすることにより、加湿空気中のイオンの濃度を高めることが可能な加湿装置を提供することができる。
【００１２】
この発明に従った加湿装置においては、送風部が、気化部とイオン発生部とに風を送り込むことが好ましい。
【００１３】
このようにすることにより、イオン発生部で発生されたイオンを、気化部によって発生された水蒸気を含む空気に供給するために、別の送風部を備える必要がなくなる。
【００１４】
この発明に従った加湿装置においては、気化部は、気流の流れる方向において送風部の上流側に配置されていることが好ましい。また、イオン発生部は、気流の流れる方向において送風部の下流側に配置されていることが好ましい。
【００１５】
このようにすることにより、送風部の負圧によって、イオン発生部において発生した正イオンと負イオンとを、合流路に送り出し、また、正イオンと負イオンとを負圧によって合流路から加湿空気に供給することができる。
【００１６】
この発明に従った加湿装置は、イオン発生部と気化部と送風部とモータとが収容される筐体を備えることが好ましい。筐体には、気化部によって発生された水蒸気を含む空気を筐体から筐体の外部に吹き出すための吹出口が形成されていることが好ましい。合流路は、吹出口の近傍に配置されていることが好ましい。
【００１７】
このようにすることにより、正イオンと負イオンとが筐体の内部で中和失活して消滅する前に、加湿空気とともに吹出口から加湿対象室内に吹き出させることができる。
【００１８】
この発明に従った加湿装置は、イオン発生部と気化部と送風部とモータとが収容される筐体を備えることが好ましい。筐体には、筐体の外部の空気を筐体の内部に吸い込むための吸込口と、気化部によって蒸発された水を含む空気を筐体から筐体の外部に吹き出すための吹出口とが形成されていることが好ましい。また、この発明に従った加湿装置は、吸込口と吹出口との間に形成される上流路と中流路と下流路とをさらに備えることが好ましい。上流路は、吸込口から中流路に至る流路であり、中流路は、気化部が配置される気化流路部とイオン発生部が配置されるイオン発生流路部とを含み、下流路は、中流路から吹出口に至る流路であることが好ましい。
【００１９】
気化流路部とイオン発生流路部とに流入する空気は、上流路が接続されている共通の吸込口から筐体の内部に吸い込まれる。このようにすることにより、例えば、吸込口に、筐体の外部の空気に含まれる塵埃を除去するフィルタを備えれば、気化流路部とイオン発生部とに別々にフィルタを備える必要がなくなる。
【発明の効果】
【００２０】
以上のように、この発明によれば、簡単な構成で、加湿空気中のイオンの濃度を高めることが可能な加湿装置を提供することができる。
【図面の簡単な説明】
【００２１】
【図１】この発明の第１実施形態として、加湿装置の全体を示す断面図である。
【図２】加湿装置が備えるイオン発生部を示す図である。
【図３】イオン発生部を駆動する回路を示す図である。
【図４】加湿装置が備えるイオン発生部の別の形態を示す図である。
【図５】加湿装置が備えるイオン発生部のまた別の形態を示す図である。
【図６】この発明の第２実施形態として、加湿装置の全体を示す断面図である。
【図７】この発明の第３実施形態として、加湿装置の全体を示す断面図である。
【図８】この発明の第４実施形態として、加湿装置の全体を示す断面図である。
【発明を実施するための形態】
【００２２】
以下、この発明の実施の形態を図面に基づいて説明する。
【００２３】
（第１実施形態）
図１は、この発明の第１実施形態として、加湿装置の全体を示す断面図である。
【００２４】
図１に示すように、加湿装置１は、筐体１００と、筐体１００の内部に収容される水トレイ１０１と、イオン発生部１３０と、気化部として加湿フィルタ１４０と、送風ユニット１５０とを備える。筐体１００の一つの側面には吸込口１１１が形成されている。吸込口１１１は、フィルタで覆われて、空気中の塵埃が筐体１００の内部に入り込まないようにされている。筐体１００の上面には吹出口１１２が形成されている。
【００２５】
筐体１００の内部には、上流路１２１と、気化流路部１２２とイオン発生流路部１２３と合流路１２４と下流路１２５とが形成されている。上流路１２１は、吸込口１１１に接続されて、吸込口１１１の下流に形成される。気化流路部１２２とイオン発生流路部１２３は、上流路１２１の下流において、上流路１２１から２つの経路に分岐するようにして形成されている。合流路１２４は、イオン発生流路部１２３の下流において、吹出口１１２の近傍に形成されている。下流路１２５は、気化流路部１２２と合流路１２４との下流に形成されて吹出口１１２に接続されている。気化流路部１２２とイオン発生流路部１２３と合流路１２４は、中流路を構成する。
【００２６】
加湿フィルタ１４０と水トレイ１０１は、気化流路部１２２内において、下部に配置されている。水トレイ１０１には水が貯められる。加湿フィルタ１４０は、一部が水トレイ１０１に貯められている水に浸けられている。水トレイ１０１に貯められている水は、加湿フィルタ１４０に吸い上げられて、加湿フィルタ１４０から蒸発して水蒸気になる。
【００２７】
送風ユニット１５０は、モータ１５１と、モータ１５１によって回転される送風部としてファン１５２とから構成されている。ファン１５２は、気化流路部１２２内に配置され、モータ１５１は、イオン発生流路部１２３内に配置されている。このように、気化流路部１２２内には、加湿フィルタ１４０とファン１５２が配置され、イオン発生流路部１２３内には、モータ１５１とイオン発生部１３０とが配置されている。加湿フィルタ１４０は、ファン１５２よりも吸込口１１１側に配置されている。イオン発生部１３０は、モータ１５１よりも吹出口１１２側に配置されている。
【００２８】
図１において、二点鎖線の矢印は、気化流路部１２２を通過する空気の流れを示し、一点鎖線の矢印は、イオン発生流路部１２３を通過する空気の流れを示す。吸込口１１１から筐体１００の内部に流入する空気は、１つの経路として、上流路１２１、気化流路部１２２、下流路１２５を順に通過して、吹出口１１２を通って筐体１００の外部に流出する。また、吸込口１１１から筐体１００の内部に流入する空気は、別の経路として、上流路１２１、イオン発生流路部１２３、合流路１２４を順に通過して吹出口１１２を通って筐体１００の外部に流出する。このように、吸込口１１１から筐体１００の内部に流入する気体は、上流路１２１の下流側で気化流路部１２２とイオン発生流路部１２３に一旦、分岐する。気化流路部１２２を通る空気と、イオン発生流路部１２３を通る気体は、下流路１２５で合流して、吹出口１１２から筐体１００の外部に吹き出される。
【００２９】
図２は、加湿装置が備えるイオン発生部を示す図である。図２の（Ａ）は、イオン発生部の全体を示す斜視図、（Ｂ）は、（Ａ）に示すイオン発生部の図、（Ｃ）は、イオン発生部を（Ｂ）に示す矢印Ｃの方向から見たときの図、（Ｄ）は、イオン発生部を（Ｂ）に示す矢印Ｄの方向から見たときの図、（Ｅ）は、イオン発生部を（Ｄ）に示す矢印Ｅの方向から見たときの図である。
【００３０】
図２の（Ａ）と（Ｂ）に示すように、イオン発生部１３０は、筐体１３１と、正イオン発生素子１３３と、負イオン発生素子１３５とを備える。正イオン発生素子１３３と負イオン発生素子１３５は、筐体１３１の内部に収容されている。筐体１３１には、正イオン用開口部１３２と、負イオン用開口部１３４の２つの開口部が形成されている。
【００３１】
図２の（Ｂ）に示すように、正イオン発生素子１３３は、正イオン用開口部１３２の中央に配置されるように、筐体１３１の内部に収められている。また、負イオン発生素子１３５は、負イオン用開口部１３４の中央に配置されるように、筐体１３１の内部に収められている。正イオン発生素子１３３と負イオン発生素子１３５は、尖端部を有する針状に形成された電極である。なお、正イオン発生素子１３３と負イオン発生素子１３５は、他の形状であってもよい。
【００３２】
図２の（Ａ）〜（Ｅ）に示すように、イオン発生部１３０においては、正イオン発生素子１３３と負イオン発生素子１３５は、正イオン用開口部１３２と負イオン用開口部１３４以外の部分においては、筐体１３１に覆われており、外部から見ることができない。
【００３３】
図３は、イオン発生部を駆動する回路を示す図である。
【００３４】
図３に示すように、イオン発生部１３０を駆動する回路は、商用交流電源１３６に接続された電源回路１３７を有する。電源回路１３７は、マイクロコンピュータによって構成されている。正イオン発生素子１３３と負イオン発生素子１３５は、同様に構成された回路に接続されている。
【００３５】
電源回路１３７が駆動されると、正イオン発生素子１３３と負イオン発生素子１３５には高電圧が印加される。高電圧が印加された正イオン発生素子１３３と負イオン発生素子１３５では、尖端部で放電が生じる。このとき、大気中の酸素及び水蒸気が電離して、正イオン発生素子１３３では正イオンとしてＨ＋（Ｈ２Ｏ）ｍ（ｍは任意の整数）が発生し、負イオン発生素子１３５では負イオンとしてＯ２−（Ｈ２Ｏ）ｎ（ｎは任意の整数）が発生する。
【００３６】
正イオン発生素子１３３で発生した上記の正イオンは、図２に示す正イオン用開口部１３２からイオン発生部１３０の外部に放出される。負イオン発生素子１３５で発生した上記の負イオンは、図２に示す負イオン用開口部１３４からイオン発生部１３０の外部に放出される。
【００３７】
図４は、加湿装置が備えるイオン発生部の別の形態を示す図である。
【００３８】
図４に示すように、イオン発生部１３０ａにおいては、筐体１３１ａの１つの面内に、２つの正イオン用開口部１３２ａ，１３２ｂと、２つの負イオン用開口部１３４ａ，１３４ｂが形成されている。筐体１３１ａの内部には、正イオン発生素子１３３ａ、１３３ｂと、負イオン発生素子１３５ａ，１３５ｂが収容されている。正イオン発生素子１３３，１３３ｂは、それぞれ、正イオン用開口部１３２ａ，１３２ｂの中央に配置されている。負イオン発生素子１３５ａ，１３５ｂは、負イオン用開口部１３４ａ，１３４ｂの中央に配置されている。正イオン発生素子１３３ａ，１３３ｂと負イオン発生素子１３５ａ，１３５ｂは、尖端部を有する針状の電極である。
【００３９】
正イオン用開口部１３２ａ，１３２ｂは、筐体１３１ａの中央よりも、一方の端部側に寄せて形成され、負イオン用開口部１３４ａ，１３４ｂは、筐体１３１ａの中央よりも、他方の端部側に寄せて形成されている。正イオン用開口部１３２ａ，１３２ｂと負イオン用開口部１３４ａ，１３４ｂは、一列に並べて配置されている。
【００４０】
図５は、加湿装置が備えるイオン発生部のまた別の形態を示す図である。
【００４１】
図５に示すように、イオン発生部１３０ｂにおいては、筐体１３１ｂの１つの面内において、１つの端部側に寄せて、正イオン用開口部１３２ｃと、負イオン用開口部１３４ｃとが形成されている。正イオン用開口部１３２ｃと負イオン用開口部１３４ｃは、どちらも１つずつ形成されている。正イオン発生素子１３３ｃと負イオン発生素子１３５ｃは、筐体１３１ｂの内部に収容されて、それぞれ、正イオン用開口部１３２ｃと負イオン用開口部１３４ｃの中央に配置される。正イオン発生素子１３３ｃと負イオン発生素子１３５ｃは尖端部を有する針状の電極である。
【００４２】
加湿装置のイオン発生部としては、図２、図４、図５に示すイオン発生部のいずれが用いられてもよい。また、他の形態のイオン発生装置がイオン発生部として用いられてもよい。
【００４３】
以上のように構成される加湿装置の動作について説明する。
【００４４】
加湿装置１のモータ１５１が駆動されると、ファン１５２が回転する。ファン１５２が回転すると、吸込口１１１から、筐体１００の外部の空気が筐体１００の内部に吸い込まれる。吸込口１１１から吸い込まれた空気の一部は、図１に二点鎖線の矢印で示すように、上流路１２１から気化流路部１２２に流れ込み、加湿フィルタ１４０を通過する。加湿フィルタ１４０を通過した空気には、加湿フィルタ１４０で発生される水蒸気が含まれる。加湿フィルタ１４０で発生された水蒸気を含む空気は、気化流路部１２２内に配置されているファン１５２を通り、下流路１２５を通って、吹出口１１２から筐体１００の外部に吹き出される。
【００４５】
一方、吸込口１１１から吸い込まれた空気の残りは、モータ１５１の負圧によって、図１に一点鎖線の矢印で示すように、上流路１２１からイオン発生流路部１２３に流れ込む。イオン発生流路部１２３に流れ込んだ空気は、モータ１５１を通過する。モータ１５１を通過することによって、モータ１５１の余熱で空気が加熱される。モータ１５１の余熱で加熱された空気は、イオン発生流路部１２３内に配置されているイオン発生部１３０を通過する。このように、モータ１５１の余熱で加熱された空気がイオン発生部１３０を通過することによって、モータ１５１の余熱でイオン発生部１３０を加熱することができる。
【００４６】
このように、イオン発生部１３０が加熱されることによって、加湿装置１の筐体１００内においても、イオン発生部１３０の近傍の相対湿度を低く保つことができる。このとき、モータ１５１を通過する空気を介してモータ１５１で発生する熱でイオン発生部１３０を加熱しているので、イオン発生部１３０を加熱するためにヒータを備える必要がない。
【００４７】
加湿装置１のモータ１５１が駆動されるとともに、イオン発生部１３０が駆動されると、イオン発生部１３０では正イオンと負イオンとが発生する。イオン発生部１３０がモータ１５１の余熱で加熱されて、イオン発生部１３０の近傍の相対湿度が低くたもたれているので、イオン発生部１３０においては、プラズマ放電が生じやすく、正イオンと負イオンとを大量に発生させることができる。イオン発生部１３０で発生した正イオンと負イオンは、イオン発生部１３０を空気が通過するときに、イオン発生部１３０を通過する空気中に放出される。
【００４８】
イオン発生部１３０によって発生された正イオンと負イオンは、イオン発生流路部１２３から合流路１２４を通って、下流路１２５に流れる。下流路１２５では、気化流路部１２２を通過して、加湿フィルタ１４０によって発生された水蒸気を含む空気に、イオン発生部１３０で発生された正イオンと負イオンとが供給される。
【００４９】
下流路１２５において、正イオンと負イオンとを供給された、水蒸気を含む空気は、吹出口１１２から筐体１００の外部に吹き出される。
【００５０】
以上のように、第１実施形態の加湿装置１は、イオン発生部１３０と、加湿フィルタ１４０と、ファン１５２と、モータ１５１と、合流路１２４とを備える。イオン発生部１３０は、正イオンとしてＨ＋（Ｈ２Ｏ）ｍ（ｍは任意の整数）と負イオンとしてＯ２−（Ｈ２Ｏ）ｎ（ｎは任意の整数）とを発生させる。加湿フィルタ１４０は、水を蒸発させて水蒸気を発生させる。ファン１５２は、加湿フィルタ１４０に風を送り込む。モータ１５１は、ファン１５２を駆動する。合流路１２４は、イオン発生部１３０によって発生された正イオンと負イオンとを、加湿フィルタ１４０によって発生された水蒸気を含む空気に供給する。イオン発生部１３０は、モータ１５１において発生する熱によって加熱されるようにモータ１５１の近傍に配置されている。
【００５１】
正イオンとしてＨ＋（Ｈ２Ｏ）ｍ（ｍは任意の整数）と負イオンとしてＯ２−（Ｈ２Ｏ）ｎ（ｎは任意の整数）とを発生させるイオン発生部１３０は、モータ１５１の近傍に配置され、モータ１５１において発生する熱によって加熱される。イオン発生部１３０がモータ１５１において発生する熱によって加熱されるので、イオン発生部１３０における相対湿度を低く保ち、正イオンと負イオンとを発生させやすくすることができる。イオン発生部１３０において発生した正イオンと負イオンとは、合流路１２４によって、加湿フィルタ１４０によって発生された水蒸気を含む空気、すなわち、加湿空気に供給される。正イオンと負イオンとを発生させやすくすることによって、加湿空気中に供給される正イオンと負イオンの量を増やして、加湿空気中のイオン濃度を高めることができる。
【００５２】
また、モータ１５１において発生する熱によってイオン発生部１３０を加熱するので、イオン発生部１３０を加熱するためにヒータなど別の加熱手段を備える必要がない。
【００５３】
このようにすることにより、加湿空気中のイオンの濃度を高めることが可能な加湿装置１を提供することができる。
【００５４】
また、加湿装置１においては、加湿フィルタ１４０は、気流の流れる方向においてファン１５２の上流側に配置されていることが好ましい。また、イオン発生部１３０は、気流の流れる方向においてファン１５２の下流側に配置されている。
【００５５】
このようにすることにより、ファン１５２の負圧によって、イオン発生部１３０において発生した正イオンと負イオンとを、合流路１２４に送り出し、合流路１２４から加湿空気に供給することができる。
【００５６】
また、加湿装置１は、イオン発生部１３０と加湿フィルタ１４０とファン１５２とモータ１５１とが収容される筐体１００を備えることが好ましい。筐体１００には、加湿フィルタ１４０によって発生された水蒸気を含む空気を筐体１００から筐体１００の外部に吹き出すための吹出口１１２が形成されていることが好ましい。合流路１２４は、吹出口１１２の近傍に配置されている。
【００５７】
このようにすることにより、正イオンと負イオンとが加湿装置１の筐体１００の内部で中和失活して消滅する前に、加湿空気とともに加湿対象室内に吹き出させることができる。
【００５８】
また、加湿装置１は、イオン発生部１３０と加湿フィルタ１４０とファン１５２とモータ１５１とが収容される筐体１００を備える。筐体１００には、筐体１００の外部の空気を筐体１００の内部に吸い込むための吸込口１１１と、加湿フィルタ１４０によって蒸発された水を含む空気を筐体１００から筐体１００の外部に吹き出すための吹出口１１２とが形成されている。また、加湿装置１は、吸込口１１１と吹出口１１２との間に形成される上流路１２１と中流路と下流路１２５とをさらに備える。上流路１２１は、吸込口１１１から中流路に至る流路であり、中流路は、加湿フィルタ１４０が配置される気化流路部１２２とイオン発生部１３０が配置されるイオン発生流路部１２３とを含み、下流路１２５は、中流路から吹出口１１２に至る流路である。
【００５９】
気化流路部１２２とイオン発生流路部１２３とに流入する空気は、共通の吸込口１１１から筐体１００の内部に吸い込まれる。このようにすることにより、例えば、吸込口１１１に、筐体１００の外部の空気に含まれる塵埃を除去するフィルタを備えれば、気化流路部１２２とイオン発生部１３０とに別々にフィルタを備える必要がなくなる。
【００６０】
（第２実施形態）
図６は、この発明の第２実施形態として、加湿装置の全体を示す断面図である。
【００６１】
図６に示すように、第２実施形態の加湿装置２が第１実施形態の加湿装置１（図１）と異なる点としては、第２実施形態の加湿装置２では、加湿フィルタ１４０も、イオン発生部１３０も、ファン１５２の上流側に配置されている。また、合流路２２４がファン１５２よりも上流側に形成されている。ファン１５２は、下流路２２５内に配置されている。すなわち、加湿フィルタ１４０もイオン発生部１３０も、ファン１５２によって送風される。第２実施形態の加湿装置２のその他の構成は、第１実施形態の加湿装置１（図１）と同様である。
【００６２】
加湿装置２では、モータ１５１が駆動されてファン１５２が回転されると、吸込口１１１から筐体１００の内部の上流路２２１に空気が流入する。上流路２２１に流入した空気の一部は、気化流路部２２２に流入する。上流路２２１に流入した残りの空気は、モータ１５１を通過して、モータ１５１の余熱によって加熱されてから、イオン発生流路部２２３に流入する。
【００６３】
第１実施形態と同様に、気化流路部２２２では、空気が加湿フィルタ１４０を通過することによって、空気に水蒸気が含まれて加湿空気になる。イオン発生流路部２２３では、モータ１５１の余熱によって加熱されて、イオン発生部１３０を通過する空気によって、イオン発生部１３０が加熱される。イオン発生部１３０で発生した正イオンと負イオンは、イオン発生部１３０を通過する空気に含まれる。正イオンと負イオンとを含む空気は、合流路２２４を通って、気化流路部２２２を通過した加湿空気に供給される。イオンを供給された加湿空気は、下流路２２５内において、ファン１５２を通過した後、吹出口１１２から筐体１００の外部に吹き出される。
【００６４】
以上のように、第２実施形態の加湿装置２は、イオン発生部１３０と、加湿フィルタ１４０と、ファン１５２と、モータ１５１と、合流路２２４とを備える。イオン発生部１３０は、正イオンとしてＨ＋（Ｈ２Ｏ）ｍ（ｍは任意の整数）と負イオンとしてＯ２−（Ｈ２Ｏ）ｎ（ｎは任意の整数）とを発生させる。加湿フィルタ１４０は、水を蒸発させて水蒸気を発生させる。ファン１５２は、加湿フィルタ１４０に風を送り込む。モータ１５１は、ファン１５２を駆動する。合流路２２４は、イオン発生部１３０によって発生された正イオンと負イオンとを、加湿フィルタ１４０によって発生された水蒸気を含む空気に供給する。イオン発生部１３０は、モータ１５１において発生する熱によって加熱されるようにモータ１５１の近傍に配置されている。
【００６５】
正イオンとしてＨ＋（Ｈ２Ｏ）ｍ（ｍは任意の整数）と負イオンとしてＯ２−（Ｈ２Ｏ）ｎ（ｎは任意の整数）とを発生させるイオン発生部１３０は、モータ１５１の近傍に配置され、モータ１５１において発生する熱によって加熱される。イオン発生部１３０がモータ１５１において発生する熱によって加熱されるので、イオン発生部１３０における相対湿度を低く保ち、正イオンと負イオンとを発生させやすくすることができる。イオン発生部１３０において発生した正イオンと負イオンとは、合流路２２４によって、加湿フィルタ１４０によって発生された水蒸気を含む空気、すなわち、加湿空気に供給される。正イオンと負イオンとを発生させやすくすることによって、加湿空気中に供給される正イオンと負イオンの量を増やして、加湿空気中のイオン濃度を高めることができる。
【００６６】
また、モータ１５１において発生する熱によってイオン発生部１３０を加熱するので、イオン発生部１３０を加熱するためにヒータなど別の加熱手段を備える必要がない。
【００６７】
このようにすることにより、加湿空気中のイオンの濃度を高めることが可能な加湿装置２を提供することができる。
【００６８】
また、加湿装置２においては、ファン１５２が、加湿フィルタ１４０とイオン発生部１３０とに風を送り込む。
【００６９】
このようにすることにより、イオン発生部１３０で発生されたイオンを、加湿フィルタ１４０によって発生された水蒸気を含む空気に供給するために、別のファン１５２を備える必要がなくなる。
【００７０】
また、加湿装置２は、イオン発生部１３０と加湿フィルタ１４０とファン１５２とモータ１５１とが収容される筐体１００を備える。筐体１００には、筐体１００の外部の空気を筐体１００の内部に吸い込むための吸込口１１１と、加湿フィルタ１４０によって蒸発された水を含む空気を筐体１００から筐体１００の外部に吹き出すための吹出口１１２とが形成されている。また、この発明に従った加湿装置２は、吸込口１１１と吹出口１１２との間に形成される上流路２２１と中流路と下流路２２５とをさらに備える。上流路２２１は、吸込口１１１から中流路に至る流路であり、中流路は、加湿フィルタ１４０が配置される気化流路部２２２とイオン発生部１３０が配置されるイオン発生流路部２２３とを含み、下流路２２５は、中流路から吹出口１１２に至る流路である。
【００７１】
気化流路部２２２とイオン発生流路部２２３とに流入する空気は、共通の吸込口１１１から筐体１００の内部に吸い込まれる。このようにすることにより、例えば、吸込口１１１に、筐体１００の外部の空気に含まれる塵埃を除去するフィルタを備えれば、気化流路部２２２とイオン発生部１３０とに別々にフィルタを備える必要がなくなる。
【００７２】
（第３実施形態）
図７は、この発明の第３実施形態として、加湿装置の全体を示す断面図である。
【００７３】
図７に示すように、第３実施形態の加湿装置３が第１実施形態の加湿装置１（図１）と異なる点としては、加湿装置３では、筐体１００の外部の空気を加湿フィルタ１４０とファン１５２が配置される気化流路部３２１内に吸い込むための吸込口３１１と、モータ１５１とイオン発生部１３０が配置されるイオン発生流路部３２２内に吸い込むための吸込口３１２の２つの吸込口３１１，３１２が筐体１００に形成されている。２つの吸込口３１１，３１２には、それぞれ、筐体１００の内部に塵埃等が入り込まないように、フィルタが設置されている。第３実施形態の加湿装置３のその他の構成は、第１実施形態の加湿装置１（図１）と同様である。
【００７４】
加湿装置３においては、モータ１５１が駆動されてファン１５２が回転されると、吸込口３１１と吸込口３１２の両方から、筐体１００の外部の空気が吸い込まれる。吸込口３１１から吸い込まれた空気は、気化流路部３２１を通って、加湿フィルタ１４０で加湿され、ファン１５２を通過して、下流路３２４に流入する。
【００７５】
一方、吸込口３１２から吸い込まれた空気は、イオン発生流路部３２２を通って、モータ１５１を通過し、モータ１５１の余熱で加熱された後、イオン発生部１３０を通過する。イオン発生部１３０を通過する空気にはイオン発生部１３０で発生した正イオンと負イオンとが含まれる。正イオンと負イオンとが含まれた空気は、合流路３２３を通って、下流路３２４に流入し、加湿空気と合流する。
【００７６】
正イオンと負イオンとを含まれた加湿空気は、吹出口３１３から筐体１００の外部に吹き出される。
【００７７】
以上のように、第３実施形態の加湿装置３は、イオン発生部１３０と、加湿フィルタ１４０と、ファン１５２と、モータ１５１と、合流路３２３とを備える。イオン発生部１３０は、正イオンとしてＨ＋（Ｈ２Ｏ）ｍ（ｍは任意の整数）と負イオンとしてＯ２−（Ｈ２Ｏ）ｎ（ｎは任意の整数）とを発生させる。加湿フィルタ１４０は、水を蒸発させて水蒸気を発生させる。ファン１５２は、加湿フィルタ１４０に風を送り込む。モータ１５１は、ファン１５２を駆動する。合流路３２３は、イオン発生部１３０によって発生された正イオンと負イオンとを、加湿フィルタ１４０によって発生された水蒸気を含む空気に供給する。イオン発生部１３０は、モータ１５１において発生する熱によって加熱されるようにモータ１５１の近傍に配置されている。
【００７８】
正イオンとしてＨ＋（Ｈ２Ｏ）ｍ（ｍは任意の整数）と負イオンとしてＯ２−（Ｈ２Ｏ）ｎ（ｎは任意の整数）とを発生させるイオン発生部１３０は、モータ１５１の近傍に配置され、モータ１５１において発生する熱によって加熱される。イオン発生部１３０がモータ１５１において発生する熱によって加熱されるので、イオン発生部１３０における相対湿度を低く保ち、正イオンと負イオンとを発生させやすくすることができる。イオン発生部１３０において発生した正イオンと負イオンとは、合流路３２３によって、加湿フィルタ１４０によって発生された水蒸気を含む空気、すなわち、加湿空気に供給される。正イオンと負イオンとを発生させやすくすることによって、加湿空気中に供給される正イオンと負イオンの量を増やして、加湿空気中のイオン濃度を高めることができる。
【００７９】
また、モータ１５１において発生する熱によってイオン発生部１３０を加熱するので、イオン発生部１３０を加熱するためにヒータなど別の加熱手段を備える必要がない。
【００８０】
このようにすることにより、加湿空気中のイオンの濃度を高めることが可能な加湿装置３を提供することができる。
【００８１】
また、加湿装置３においては、加湿フィルタ１４０は、気流の流れる方向においてファン１５２の上流側に配置されている。また、イオン発生部１３０は、気流の流れる方向においてファン１５２の下流側に配置されている。
【００８２】
このようにすることにより、ファン１５２の負圧によって、イオン発生部１３０において発生した正イオンと負イオンとを、合流路３２３に送り出し、合流路３２３から加湿空気に供給することができる。
【００８３】
また、加湿装置３は、イオン発生部１３０と加湿フィルタ１４０とファン１５２とモータ１５１とが収容される筐体１００を備える。筐体１００には、加湿フィルタ１４０によって発生された水蒸気を含む空気を筐体１００から筐体１００の外部に吹き出すための吹出口３１３が形成されている。合流路３２３は、吹出口３１３の近傍に配置されている。
【００８４】
このようにすることにより、正イオンと負イオンとが筐体１００の内部で中和失活して消滅する前に、加湿空気とともに加湿対象室内に吹き出させることができる。
【００８５】
（第４実施形態）
図８は、この発明の第４実施形態として、加湿装置の全体を示す断面図である。
【００８６】
図８に示すように、第４実施形態の加湿装置４が第３実施形態の加湿装置３と異なる点としては、加湿装置４は、イオン発生流路部３２２において、モータ１５１の上流側に、ファン１６０を備える。
【００８７】
イオン発生流路部３２２内にファン１６０を備えることによって、イオン発生流路部３２２を流通する風量を増大させることができる。イオン発生流路部３２２内には、モータ１５１の下流側にイオン発生部１３０が配置されているので、イオン発生部１３０を通過する風量も増大する。イオン発生部１３０を通過する風量が多ければ、イオン発生部１３０で発生する正イオンと負イオンとが互いに衝突して中和失活する前に、空気中に放出されやすくなる。このようにすることにより、加湿空気中に含まれる正イオンと負イオンの濃度を高めることができる。
【００８８】
加湿装置４のその他の構成と効果は、第３実施形態の加湿装置３と同様である。
【００８９】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【００９０】
１，２，３，４：加湿装置、１００：筐体、１１１，３１１，３１２：吸込口、１１２，３１３：吹出口、１２１，２２１：上流路、１２２，２２２：気化流路部、１２３，２２３：イオン発生流路部、１２４，２２４，３２３：合流路、１２５，２２５：下流路、１３０，１３０ａ，１３０ｂ：イオン発生部、１４０：加湿フィルタ、１５１：モータ、１５２：ファン。
【図１】
2010276227.tif 000003
【図２】
2010276227.tif 000004
【図３】
2010276227.tif 000005
【図４】
2010276227.tif 000006
【図５】
2010276227.tif 000007
【図６】
2010276227.tif 000008
【図７】
2010276227.tif 000009
【図８】
2010276227.tif 000010